(57)【要約】【課題】録画番組を再生する際に、最新のＥＭＭ個別メッセージに従って自動表示メッセージを制御するデジタル放送録画再生装置を得る。【解決手段】ＥＭＭ個別メッセージをＥＭＭメッセージ情報蓄積部１２に蓄積すると共に、ＥＭＭ共通メッセージと同一ＩＤを有するＥＭＭ個別メッセージがメッセージ情報蓄積部１２に存在するか否か判定を行い、存在した場合に同一ＩＤのＥＭＭ個別メッセージをメッセージ情報蓄積部１２から取得する録画ＥＭＭメッセージ判定部１３と、同一ＩＤの共通ＥＭＭメッセージおよびＥＭＭ個別メッセージの差分情報に基づき自動表示メッセージを生成する自動表示メッセージ生成部を備え、録画番組を再生する場合、録画ＥＭＭメッセージ判定部１３がネットワーク２００を介して新規ＥＭＭ個別メッセージを取得してＥＭＭメッセージ情報蓄積部１２に蓄積する。【選択図】図１
2011193103.tif 000002
【特許請求の範囲】
【請求項１】
ネットワークを介してデジタル放送番組の放送ストリームを受信すると共に、前記放送ストリームを録画するデジタル放送録画再生装置において、
前記放送ストリームを復号するデスクランブラと、
前記デスクランブラにより復号された放送ストリームからＥＭＭ個別メッセージおよびＥＭＭ共通メッセージを取得するデマルチプレクサと、
前記ＥＭＭ個別メッセージをメッセージ情報蓄積部に蓄積すると共に、前記ＥＭＭ共通メッセージと同一ＩＤを有するＥＭＭ個別メッセージが前記メッセージ情報蓄積部に存在するか否か判定を行い、存在した場合に同一ＩＤのＥＭＭ個別メッセージを前記メッセージ情報蓄積部から取得するメッセージ判定部と、
前記同一ＩＤの共通ＥＭＭメッセージおよびＥＭＭ個別メッセージの差分情報に基づき自動表示メッセージを生成するメッセージ生成部とを備え、
前記メッセージ判定部は、録画番組を再生する場合、前記ネットワークを介して新規ＥＭＭ個別メッセージを取得し、前記メッセージ情報蓄積部に蓄積することを特徴とするデジタル放送録画再生装置。
【請求項２】
新規ＥＭＭ個別メッセージを取得するか否か判定するメッセージ取得判定部を備え、
メッセージ判定部は、前記メッセージ取得判定部により取得すると判定された場合のみ、ネットワークを介して新規ＥＭＭ個別メッセージを取得することを特徴とする請求項１記載のデジタル放送録画再生装置。
【請求項３】
メッセージ取得判定部は、再生する録画番組の録画時刻と再生時刻の時間差が所定の閾値以上の場合に、新規ＥＭＭ個別メッセージを取得すると判定することを特徴とする請求項２記載のデジタル放送録画再生装置。
【請求項４】
メッセージ取得判定部は、再生する録画番組と同一放送事業者の異なる録画番組が所定の時間内に再生されていない場合に、新規ＥＭＭ個別メッセージを取得すると判定することを特徴とする請求項２または請求項３記載のデジタル放送録画再生装置。
【請求項５】
デスクランブラは、ライセンスデータに基づいて取得したスクランブル鍵を用いて放送ストリームを復号し、
メッセージ取得判定部は、前記ライセンスデータが更新された場合に、新規ＥＭＭ個別メッセージを取得すると判定することを特徴とする請求項２から請求項４のうちのいずれか１項記載のデジタル放送録画再生装置。
【発明の詳細な説明】
【技術分野】
【０００１】
この発明は、デジタル放送録画再生装置に関し、特に録画再生における放送システムの送信側から受信側に伝えるメッセージの表示方法に関するものである。
【背景技術】
【０００２】
日本のデジタル放送であるＢＳデジタル放送や地上デジタル放送では、「自動表示メッセージ」機能がＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）標準規格や技術資料で開示されている（非特許文献１参照）。これは、デジタル放送ストリーム中にＥＭＭ（Ｅｎｔｉｔｌｅｍｅｎｔ  Ｍａｎａｇｅｍｅｎｔ  Ｍｅｓｓａｇｅ）個別メッセージおよびＥＭＭ共通メッセージと呼ばれるデータが多重されており、これをデジタル放送受信機で受信した後に２つのメッセージから表示すべき自動表示メッセージを生成して、デジタル放送ストリームの視聴映像と重畳表示することによって実現している。
【０００３】
ＥＭＭ個別メッセージは、各々のデジタル放送受信機宛の個別情報であり、その受信機宛だけに送られるデータである。ＥＭＭ共通メッセージは、全ての受信機に共通のデータであり、また、放送ストリーム中には複数種類のＥＭＭ共通メッセージが繰り返し送られている。自動表示メッセージは、このＥＭＭ個別メッセージとＥＭＭ共通メッセージを合成して生成される。ＥＭＭ個別メッセージには、合成すべきＥＭＭ共通メッセージのＩＤが指定されている。
【０００４】
放送事業者はこの自動表示メッセージ機能を用いて、例えば、まだ有料放送に加入していないユーザが使用している受信機宛には、有料放送への加入案内が記載されたメッセージを有するＥＭＭ共通メッセージを用いるようにＥＭＭ個別メッセージを制御する。そして、このユーザが有料放送に加入すると、例えば契約御礼が記載されたメッセージを有するＥＭＭ共通メッセージを用いるようにＥＭＭ個別メッセージを制御する。これにより、有料放送を契約したユーザの受信機には、契約御礼の画面が表示される。
【０００５】
放送視聴の場合は上記処理で問題はないが、近年普及しているＨＤＤレコーダなど録画が可能なデジタル放送録画再生装置では録画した番組を再生するので、録画した放送ストリームに含まれるＥＭＭ個別／共通メッセージに従って自動表示メッセージが制御される。上記有料放送への加入を例に説明すると、放送番組を録画した時点では有料放送が未契約であったが、録画番組を再生する時点では契約済みであるということが発生する。この場合、本来ならば契約御礼のメッセージを表示すべきところを、録画した時点のＥＭＭ個別メッセージで制御されて加入案内の自動表示メッセージが表示されるという問題点があった。
【０００６】
この対策として、特許文献１に開示されているデジタル放送ストリーム処理装置では、録画番組の録画開始時刻と再生開始時刻との時間差を算出し、当該時間差が所定の基準時間以下の場合に限り、自動表示メッセージを生成するように構成し、当該時間差が所定の基準時間以上の場合は自動表示メッセージの生成を抑制している。これにより、古い格納情報に基づいた自動表示メッセージの生成を抑制している。
また、非特許文献１に開示されている自動表示メッセージ表示方法では、録画番組の放送ストリームと同じ、すなわち同一のチャンネルを視聴した時にＥＭＭ個別メッセージが送信されていれば、当該ＥＭＭ個別メッセージを受信して受信機側が保持するＥＭＭ個別メッセージを更新している。
【先行技術文献】
【特許文献】
【０００７】
【特許文献１】特開２００３−２８３９９９号公報
【非特許文献】
【０００８】
【非特許文献１】社団法人電波産業会発行「デジタル放送におけるアクセス制御方式」標準規格ＡＲＩＢ  ＳＴＤ−Ｂ２５
【発明の概要】
【発明が解決しようとする課題】
【０００９】
しかしながら、従来の自動表示メッセージ表示方法では、録画開始時刻と再生開始時刻の時間差が所定の基準時間以上であると自動表示メッセージを表示することができないという問題点があった。また、録画番組と同一のチャンネルを視聴しないとＥＭＭ個別メッセージを更新することができず、古い格納情報により自動表示メッセージを制御してしまう可能性があった。
【００１０】
この発明は上記のような課題を解決するためになされたもので、録画番組を再生する際に、最新のＥＭＭ個別メッセージに従って自動表示メッセージを制御するデジタル放送録画再生装置を得ることを目的とする。
【課題を解決するための手段】
【００１１】
この発明に係るデジタル放送録画再生装置は、放送ストリームを復号するデスクランブラと、デスクランブラにより復号された放送ストリームからＥＭＭ個別メッセージおよびＥＭＭ共通メッセージを取得するデマルチプレクサと、ＥＭＭ個別メッセージをメッセージ情報蓄積部に蓄積すると共に、ＥＭＭ共通メッセージと同一ＩＤを有するＥＭＭ個別メッセージがメッセージ情報蓄積部に存在するか否か判定を行い、存在した場合に同一ＩＤのＥＭＭ個別メッセージをメッセージ情報蓄積部から取得するメッセージ判定部と、同一ＩＤの共通ＥＭＭメッセージおよびＥＭＭ個別メッセージの差分情報に基づき自動表示メッセージを生成するメッセージ生成部を備え、録画番組を再生する場合、メッセージ判定部がネットワークを介して新規ＥＭＭ個別メッセージを取得してメッセージ情報蓄積部に蓄積するように構成したものである。
【発明の効果】
【００１２】
この発明のデジタル放送録画再生装置は、録画番組を再生する場合、メッセージ判定部がネットワークを介して新規ＥＭＭ個別メッセージを取得するように構成したので、放送番組を録画後、再生するまでに時間が経過した場合であっても自動表示メッセージを表示することができる。さらに、録画番組の再生時のユーザの状況に合わせた内容で自動表示メッセージを構成することができる。
【図面の簡単な説明】
【００１３】
【図１】この発明の実施の形態１によるデジタル放送録画再生装置の構成を示すブロック図である。
【図２】この発明の実施の形態１によるデジタル放送録画再生装置の受信視聴の動作を示すフローチャートである。
【図３】この発明の実施の形態１によるデジタル放送録画再生装置の録画処理動作を示すフローチャートである。
【図４】この発明の実施の形態１によるデジタル放送録画再生装置の録画再生時の自動表示メッセージ表示処理動作を示すフローチャートである。
【図５】この発明の実施の形態２によるデジタル放送録画再生装置の構成を示すブロック図である。
【図６】この発明の実施の形態２によるデジタル放送録画再生装置の録画再生時の自動表示メッセージ表示処理動作を示すフローチャートである。
【発明を実施するための形態】
【００１４】
実施の形態１．
図１は、この発明の実施の形態１によるデジタル放送録画再生装置の構成を示すブロック図である。
このデジタル放送録画再生装置１００は、通信処理部１、ストリーミング受信処理部２、デスクランブラ３、デマルチプレクサ４、音声デコーダ５、映像デコーダ６、字幕デコーダ７、限定受信処理部８、ローカル再暗号化処理部９、蓄積部１０、ローカル復号部１１、ＥＭＭメッセージ情報蓄積部（メッセージ情報蓄積部）１２、録画ＥＭＭメッセージ判定部（メッセージ判定部）１３、自動表示メッセージ生成部（メッセージ生成部）１４、メッセージ表示制御部１５、外部装置との通信を行う通信インタフェース部２０、音声出力を行うスピーカなどの音声出力部２１、映像出力を行うディスプレイなどの映像出力部２２で構成されている。
【００１５】
さらに、このデジタル放送録画再生装置１００は、通信インタフェース部２０およびネットワーク２００を介して外部のサーバ３００と接続されている。サーバ３００は、ＥＭＭ（Ｅｎｔｉｔｌｅｍｅｎｔ  Ｍａｎａｇｅｍｅｎｔ  Ｍｅｓｓａｇｅ）個別メッセージをデジタル放送録画再生装置１００側へ提供するものである。
【００１６】
通信処理部１は、ネットワーク２００を通じて配信されるデジタル放送ストリーム（データパケット）を受信する。
ストリーミング受信処理部２は、デジタル放送ストリームに対して、ジッタ吸収、パケットロス検出、順序入れ替わり検出および訂正などの受信処理を行う。具体的には、デジタル放送ストリームに対して、ネットワーク上での揺らぎ（ジッタ）を吸収するために一部のデータをバッファリングし、データパケットの欠落やパケット順序の入れ替わりをチェックする。パケットの欠落やパケット順序の入れ替わりを検出した場合には、再送要求、エラー訂正、あるいは入れ替わりの修正などの訂正処理を行う。訂正処理が行われたデジタル放送ストリームは、データパケットに含まれる時間情報（タイムスタンプ）に従ってデスクランブラ３に出力される。
【００１７】
デスクランブラ３は、スクランブル鍵を用いてスクランブルされているデジタル放送ストリームを復号し、デマルチプレクサ４に出力する。このスクランブル鍵は、後述する限定受信処理部８によって設定される。
【００１８】
デマルチプレクサ４は、音声、映像、字幕、ＥＭＭ個別／共通メッセージおよびカルーセルが多重化されたデジタル放送ストリームからオーディオデータ、ビデオデータ、字幕データおよびＥＭＭ個別／共通メッセージを分離し、各データに対応する音声デコーダ５、映像デコーダ６、字幕デコーダ７および録画ＥＭＭメッセージ判定部１３に出力する。また、放送ストリームに含まれるＥＣＭ（Ｅｎｔｉｔｌｅｍｅｎｔ  Ｃｏｎｔｒｏｌ  Ｍｅｓｓａｇｅ）データをフィルタリングして限定受信処理部８に出力する。デジタル放送ストリームは、コンテンツ保護や有料放送の観点からスクランブルされていることが多い。このスクランブルを解くための鍵は、スクランブル鍵としてＥＣＭデータ中に暗号化されてデジタル放送ストリームに多重化されて送信されている。そのため、番組視聴や録画に先立ち、デマルチプレクサ４はデジタル放送ストリームに多重化されたＥＣＭデータをフィルタリングして限定受信処理部８に出力される。
【００１９】
限定受信処理部８は、通信処理部１を介して、ＥＣＭデータの復号に必要なライセンスデータ（ワーク鍵）を取得および管理する。また、デマルチプレクサ４から入力されるＥＣＭデータをあらかじめ取得しているワーク鍵を用いて復号してスクランブル鍵を取り出し、取り出したスクランブル鍵をデスクランブラ３に設定する。ＥＣＭデータ中のスクランブル鍵は、定期的（例えば１０秒毎）に変更されるため、この変更されるタイミングに応じてワーク鍵の再取得およびスクランブル鍵の再取得・再設定を繰り返し行う。
【００２０】
音声デコーダ５は、オーディオデータをデコードして音声出力を行う。映像デコーダ６は、ビデオデータをデコードして映像出力を行う。字幕デコーダ７は、字幕データをデコードして字幕出力を行う。
ローカル再暗号化処理部９は、デジタル放送を録画する際に、デスクランブラ３から出力された復号後のデジタル放送ストリームを再暗号化する。
蓄積部１０は、再暗号化されたデジタル放送ストリームを永続的に蓄積する。
ローカル復号部１１は、通信処理部１を介してユーザから入力される録画番組の再生制御指示に基づき、蓄積部１０からローカル暗号化されたデジタル放送ストリームを取得し、復号する。
【００２１】
ＥＭＭメッセージ情報蓄積部１２は、放送チャンネルを示す放送事業者の事業体識別情報に基づき、事業体毎に放送視聴で受信したＥＭＭ個別メッセージを記憶する。また、サーバ３００から取得したＥＭＭ個別メッセージも事業体毎に記憶する。
【００２２】
録画ＥＭＭメッセージ判定部１３は、放送視聴中のＥＭＭ個別／共通メッセージおよび録画再生のＥＭＭ個別／共通メッセージを受信する。各ＥＭＭ個別メッセージを受信すると、当該ＥＭＭ個別メッセージをＥＭＭメッセージ情報蓄積部１２に記憶させる。一方、各ＥＭＭ共通メッセージを受信すると、受信したＥＭＭ共通メッセージのメッセージＩＤとＥＭＭメッセージ情報蓄積部１２に蓄積されているＥＭＭ個別メッセージのメッセージＩＤが一致するか否か判定を行う。一致した場合には、同一のメッセージＩＤを有するＥＭＭ共通／個別メッセージの差分情報を自動表示メッセージ生成部１４に出力する。さらに、録画番組再生時には、通信処理部１および通信インタフェース部２０を介して外部のサーバ３００から新規ＥＭＭ個別メッセージを取得する。なお、録画ＥＭＭメッセージ判定部１３の判定処理の詳細は後述する。
【００２３】
自動表示メッセージ生成部１４は、録画ＥＭＭメッセージ判定部１３から入力されるＥＭＭ個別／共通メッセージの差分情報に基づき自動表示メッセージを生成すると共に、表示位置、表示回数および表示期間などを示す表示制御情報を生成する。
メッセージ表示制御部１５は、自動表示メッセージを表示制御情報に基づいて映像出力に重畳表示させる。
【００２４】
次に、この実施の形態１によるデジタル放送録画再生装置の動作について説明を行う。なお、動作説明はデジタル放送の受信視聴および自動表示メッセージの表示処理、放送番組の録画処理および録画再生時の自動表示メッセージ表示処理に分けて行う。
＜受信視聴および自動表示メッセージ表示処理＞
図２は、実施の形態１によるデジタル放送録画再生装置の受信視聴および受信視聴中の自動表示メッセージの表示処理動作を示すフローチャートである。
ここでは、通信ネットワークを介して提供される所謂ＩＰＴＶ（Ｉｎｔｅｒｎｅｔ  Ｐｒｏｔｏｃｏｌ  Ｔｅｌｅｖｉｓｉｏｎ）サービスを例に説明するが、電波による放送ストリーム受信の場合にも同様に適用可能である。以下、他の実施の形態においても同様である。
【００２５】
ユーザ操作あるいは予約視聴により放送番組を受信する場合、放送は一般的にマルチキャスト配信されており、通信処理部１が該当する放送番組が配信されているマルチキャストに受信要求を行い、放送ストリームを受信する。放送がユニキャスト配信されている場合には、通信処理部１はユニキャスト配信の受信要求を行い、放送ストリームを受信する。
【００２６】
通信処理部１は、受信要求を出力してデジタル放送ストリームを受信し、受信したデジタル放送ストリームをストリーミング受信処理部２に出力する（ステップＳＴ１）。ストリーミング受信処理部２は、ステップＳＴ１において入力されたデジタル放送ストリームに対してバッファリングおよび訂正処理を行い、タイムスタンプに従ってデスクランブラ３に出力する（ステップＳＴ２）。
【００２７】
ステップＳＴ２においてデスクランブラ３に入力されたデジタル放送ストリームのうち、ＥＣＭデータはデマルチプレクサ３でフィルタリングされて限定受信処理部８に出力される。限定受信処理部８は、入力されたＥＣＭデータからスクランブル鍵を取得し、当該スクランブル鍵をデスクランブラ３に設定する（ステップＳＴ３）。
【００２８】
デスクランブラ３は、ステップＳＴ２において入力されたデジタル放送ストリームを、ステップＳＴ３で設定されたスクランブル鍵を用いて復号し、復号後のデジタル放送ストリームをデマルチプレクサ４に出力する（ステップＳＴ４）。デマルチプレクサ４は、ステップＳＴ４で入力された復号後のデジタル放送ストリームからオーディオデータ、ビデオデータ、字幕データ、ＥＭＭ個別／共通メッセージを分離し、各データに対応する音声デコーダ５、映像デコーダ６、字幕デコーダ７および録画ＥＭＭメッセージ判定部１３に出力する（ステップＳＴ５）。
【００２９】
音声デコーダ５は、ステップＳＴ５において入力されたオーディオデータをデコードして音声出力を行う（ステップＳＴ６）。映像デコーダ６および字幕デコーダ７は、ステップＳＴ５において入力されたビデオデータおよび字幕データをデコードして映像出力を行う（ステップＳＴ７）。
【００３０】
一方、録画ＥＭＭメッセージ判定部１３は、ステップＳＴ５において入力されたＥＭＭ個別メッセージを事業体識別情報と共にＥＭＭメッセージ情報蓄積部１２に出力し、当該ＥＭＭメッセージ情報蓄積部１２が事業体毎に蓄積する（ステップＳＴ８）。
【００３１】
さらに録画ＥＭＭメッセージ判定部１３は、ステップＳＴ５においてＥＭＭ共通メッセージが入力されると、ＥＭＭメッセージ情報蓄積部１２に対して蓄積されたＥＭＭ個別メッセージの問い合わせを行い、問い合わせ結果として個別メッセージＩＤを取得する（ステップＳＴ９）。ステップＳＴ９において取得したＥＭＭ個別メッセージの個別メッセージＩＤと、ステップＳＴ５において入力されたＥＭＭ共通メッセージの共通メッセージＩＤが、一致するか否か判定を行う（ステップＳＴ１０）。
【００３２】
ステップＳＴ１０において、個別メッセージＩＤと共通メッセージＩＤが一致しないと判定された場合には、ステップＳＴ５で入力されたＥＭＭ共通メッセージを破棄し（ステップＳＴ１１）、ステップＳＴ５の処理に戻り、次のＥＭＭ個別／共通メッセージの受信を待つ。一方、ステップＳＴ１０において、個別メッセージＩＤと共通メッセージＩＤが一致すると判定された場合には、ＥＭＭ個別メッセージとＥＭＭ共通メッセージの差分情報を自動表示メッセージ生成部１４に出力する（ステップＳＴ１２）。
【００３３】
自動表示メッセージ生成部１４は、ステップＳＴ１２において入力された差分情報に基づき表示メッセージを生成すると共に、表示位置、表示回数、あるいは表示期間などを示す表示制御情報を生成し、メッセージ表示制御部１５へ出力する（ステップＳＴ１３）。メッセージ表示制御部１５は、ステップＳＴ１３において入力された表示メッセージおよび表示制御情報に基づき、映像デコーダ６および字幕デコーダ７から出力される映像出力にメッセージを重畳表示させる（ステップＳＴ１４）。これにより、ユーザが視聴中の映像に自動表示メッセージが表示される（ステップＳＴ１５）。
【００３４】
＜放送番組の録画処理＞
次に、放送番組を録画する動作について説明する。なお、放送番組を録画する場合、デスクランブラ３で復号された放送ストリームをそのまま蓄積すると不正利用される危険性が高くなるため、当該デジタル放送録画再生装置１００内で再度暗号化して蓄積する構成を示す。
図３は、実施の形態１によるデジタル放送録画再生装置の録画処理動作を示すフローチャートである。なお、ステップＳＴ１からステップＳＴ３までの処理は上述した処理と同一であるため、説明を省略する。
【００３５】
デスクランブラ３は、ステップＳＴ２において入力されたデジタル放送ストリームを、ステップＳＴ３で設定されたスクランブル鍵を用いて復号し、復号後のデジタル放送ストリームをローカル再暗号化処理部９に出力する（ステップＳＴ２１）。ローカル再暗号化処理部９は、ステップＳＴ２１において入力されたデジタル放送ストリームを再暗号化して蓄積部１０に蓄積する（ステップＳＴ２２）。このとき、デジタル放送ストリームに含まれるＥＭＭ個別／共通メッセージも放送ストリームに多重された状態で蓄積される。これにより１つの放送番組が録画される。
【００３６】
＜録画再生時の自動表示メッセージ表示処理＞
次に、録画番組の再生中に自動表示メッセージを表示する動作について説明する。
図４は、実施の形態１によるデジタル放送録画再生装置の録画再生時の自動表示メッセージの表示処理動作を示すフローチャートである。なお、受信視聴時の自動表示メッセージの表示処理と同一の処理を行うステップには図２で使用した符号と同一の符号を付し、説明を省略または簡略化する。
【００３７】
通信処理部１を介してユーザから録画番組の再生制御指示が入力されると、ローカル復号部１１は蓄積部１０から該当する録画番組のデジタル放送ストリームを取得および復号し、デマルチプレクサ４に出力する（ステップＳＴ３１）。デマルチプレクサ４は、復号後のデジタル放送ストリームからオーディオデータ、ビデオデータ、字幕データ、録画ＥＭＭ個別／共通メッセージを分離し、各データに対応する音声デコーダ５、映像デコーダ６、字幕デコーダ７および録画ＥＭＭメッセージ判定部１３に出力する（ステップＳＴ３２）。
【００３８】
音声デコーダ５は、ステップＳＴ３２において入力されたオーディオデータをデコードして音声出力を行う（ステップＳＴ６）。映像デコーダ６および字幕デコーダ７は、ステップＳＴ５において入力されたビデオデータおよび字幕データをデコードして映像出力を行う（ステップＳＴ７）。
【００３９】
録画ＥＭＭメッセージ判定部１３は、ステップＳＴ３２において録画ＥＭＭ個別メッセージが入力されると、通信処理部１および通信インタフェース部２０を介して外部のサーバ３００から新規ＥＭＭ個別メッセージを取得する（ステップＳＴ３３）。録画ＥＭＭメッセージ判定部１３は、ステップＳＴ３３で取得した新規ＥＭＭ個別メッセージを、該当する録画番組の録画再生中は保持する。さらに取得した新規ＥＭＭ個別メッセージを事業体識別情報と共にＥＭＭメッセージ情報蓄積部１２に出力し、当該ＥＭＭメッセージ情報蓄積部１２が事業体毎に蓄積する（ステップＳＴ３４）。
【００４０】
さらに録画ＥＭＭメッセージ判定部１３は、ステップＳＴ３２において録画ＥＭＭ共通メッセージが入力されると、ＥＭＭメッセージ情報蓄積部１２に対して蓄積されたＥＭＭ個別メッセージの問い合わせを行い、問い合わせ結果として個別メッセージＩＤを取得する（ステップＳＴ３５）。次に、ステップＳＴ３５において取得したＥＭＭ個別メッセージの個別メッセージＩＤと、ステップＳＴ３２において入力された録画ＥＭＭ共通メッセージの録画共通メッセージＩＤが、一致するか否か判定を行う（ステップＳＴ３６）。
【００４１】
ステップＳＴ３６において、個別メッセージＩＤと録画共通メッセージＩＤが一致しないと判定された場合には、ステップＳＴ３２で入力された録画ＥＭＭ共通メッセージを破棄し（ステップＳＴ３７）、ステップＳＴ３２の処理に戻り次の録画ＥＭＭ個別／共通メッセージの受信を待つ。一方、ステップＳＴ３６において、個別メッセージＩＤと録画共通メッセージＩＤが一致すると判定された場合には、ＥＭＭ個別メッセージと録画ＥＭＭ共通メッセージの差分情報を自動表示メッセージ生成部１４に出力する（ステップＳＴ３８）。自動表示メッセージ生成部１４は、ステップＳＴ３８において入力された差分情報に基づき表示すべきメッセージを生成すると共に、表示位置、表示回数、あるいは表示期間などを示す表示制御情報を生成し、メッセージ表示制御部１５へ出力する（ステップＳＴ１３）。
【００４２】
メッセージ表示制御部１５は、ステップＳＴ１３において入力された表示メッセージおよび表示制御情報に基づき、映像デコーダ６および字幕デコーダ７から出力される映像出力にメッセージを重畳表示させる（ステップＳＴ１４）。これにより、録画再生中の映像に自動表示メッセージが表示される（ステップＳＴ１５）。
【００４３】
以上のように、実施の形態１のデジタル放送録画再生装置によれば、録画番組を再生する場合、再生時にネットワークを介して新規なＥＭＭ個別メッセージを取得して自動表示メッセージの表示制御を行うように構成したので、録画から時間が経過した録画番組においても自動表示メッセージを表示することができる。
さらに、その自動表示メッセージは、録画番組再生時のユーザの状況に合わせた内容で構成することができる。具体的には、録画時点で有料放送に未加入のユーザが、その後有料放送に加入して録画した録画番組を再生する場合であっても、録画番組の再生時に加入に対する御礼表示を表示することができる。このように、録画時と再生時でユーザの契約状態が変化していても、当該契約状態に合ったメッセージ表示を行うことができる。
【００４４】
なお、上記実施の形態１では、ネットワーク２００を介して接続しているサーバ３００から新規ＥＭＭ個別メッセージを取得する構成を示したが、録画番組と同一の放送チャンネルを選局し、受信したデジタル放送ストリームにＥＭＭ個別メッセージが多重されていれば、当該ＥＭＭ個別メッセージを新規ＥＭＭ個別メッセージとして取得するように構成してもよい。次に説明する実施の形態２においても同様である。
【００４５】
実施の形態２．
上述した実施の形態１では、録画番組を再生する際に必ずＥＭＭ個別メッセージを取得する構成を示したが、この実施の形態２では録画番組を再生する際にある条件が成立した場合のみ、新規にＥＭＭ個別メッセージを取得する構成を示す。
図５は、実施の形態２によるデジタル放送録画再生装置の構成を示すブロック図であり、実施の形態１のデジタル放送録画再生装置１００に録画ＥＭＭメッセージ取得判定部１６を追加して設けている。以下では、実施の形態１によるデジタル放送録画再生装置の構成要素と同一または相当する部分には、実施の形態１で使用した符号と同一の符号を付して説明を省略または簡略化する。
【００４６】
録画ＥＭＭメッセージ取得判定部１６は、録画ＥＭＭメッセージ判定部１３からの問い合わせに対して新規ＥＭＭ個別メッセージを取得するか否か判定を行う。録画ＥＭＭメッセージ判定部１３は、録画ＥＭＭメッセージ取得判定部１６から入力される判定結果に基づき、新規ＥＭＭ個別メッセージの取得処理を行う。
【００４７】
録画ＥＭＭメッセージ取得判定部１６が判定に用いる取得条件の例を以下に示す。
（１）録画時刻と再生時刻の時間差が基準値以上であれば取得する
これは、再生する録画番組を録画した時刻と、録画ＥＭＭメッセージ判定部１３から問い合わせを受けた時刻の時間差が基準時間（例えば、１時間）以上である場合には、新規ＥＭＭ個別メッセージを取得する。
（２）再生する録画番組と同一の放送事業者の別の録画番組が一定時間以内に再生されていなければ取得する。
例えば、その日のうち（０時０分から２３時５９分までの間）に、再生する録画番組と同じ放送事業者（放送チャンネル）の別の録画番組を再生していない場合には、新規ＥＭＭ個別メッセージを取得する。
（３）放送ストリームの復号に必要なライセンスデータが更新された場合に取得する。
録画ＥＭＭメッセージ取得判定部１６が限定受信処理部８に問い合わせを行い、前回問い合わせから今回問い合わせの間にライセンスデータの取得あるいは更新が行われているか確認し、新たな取得あるいは更新が行われている場合には、新規個別メッセージを取得する。
なお、これら取得条件は適宜設定可能である。
【００４８】
具体的な処理動作を、図６のフローチャートを参照しながら説明を行う。
図６は、実施の形態２よるデジタル放送録画再生装置の録画再生時の自動表示メッセージ表示処理動作を示すフローチャートである。実施の形態１で示した処理動作と同一の処理を行うステップには図４で使用した符号と同一の符号を付し、説明を省略または簡略化する。
【００４９】
録画ＥＭＭメッセージ判定部１３は、ステップＳＴ３２において録画ＥＭＭ個別メッセージが入力されると、録画ＥＭＭメッセージ取得判定部１６に対して新規ＥＭＭ個別メッセージを取得するべきか否か問い合わせを行い、録画ＥＭＭメッセージ取得判定部１６は、所定の取得条件が成立するか否か判定を行う（ステップＳＴ４１）。
【００５０】
ステップＳＴ４１において、所定の取得条件が成立した場合には、録画ＥＭＭメッセージ判定部１３に新規ＥＭＭ個別メッセージを取得すべき旨を返信し、録画ＥＭＭメッセージ判定部１３はステップＳＴ３３の処理に進む。以降の動作は実施の形態１と同様である。一方、ステップＳＴ４１において取得条件が成立しなかった場合には、録画ＥＭＭメッセージ判定部１３に新規ＥＭＭ個別メッセージを取得しない旨を返信し、録画ＥＭＭメッセージ判定部１３はステップＳＴ３５の処理に進む。以降の動作は実施の形態１と同様である。
【００５１】
以上のように、実施の形態２のデジタル放送録画再生装置によれば、録画番組を再生する場合、再生時にネットワークを介して新規なＥＭＭ個別メッセージを取得して自動表示メッセージの表示制御を行うように構成したので、録画から時間が経過した録画番組においても自動表示メッセージを表示することができる。
さらに、その自動表示メッセージは、録画番組再生時のユーザの状況に合わせた内容で構成することができる。具体的には、録画時と再生時でユーザの契約状況が変化している場合であっても、再生時の契約状況に基づいた自動表示メッセージの表示を行うことができる。具体的には、録画時点で有料放送に未加入のユーザが、その後有料放送に加入して録画した録画番組を再生する場合であっても、録画番組の再生時に加入に対する御礼表示を表示することができる。このように、録画時と再生時でユーザの契約状態が変化していても、当該契約状態に合ったメッセージ表示を行うことができる。
【００５２】
さらに実施の形態２のデジタル放送録画再生装置によれば、録画番組を再生する際に、所定の取得条件を満たす場合のみ新規ＥＭＭ個別メッセージを取得するように構成したので、録画後時間が経過した録画番組を再生する場合において、再生時の状況に合った自動表示メッセージを表示することができる。これにより、ＥＭＭ個別メッセージが古い、すなわち新しいＥＭＭ個別メッセージが存在する可能性がある場合のみ、新規ＥＭＭ個別メッセージを取得すればよく、不要なＥＭＭ個別メッセージの取得処理を抑制し、デジタル放送録画再生装置の負荷を減少させることができる。
【符号の説明】
【００５３】
１  通信処理部、２  ストリーミング受信処理部、３  デスクランブラ、４  デマルチプレクサ、５  音声デコーダ、６  映像デコーダ、７  字幕デコーダ、８  限定受信処理部、９  ローカル再暗号化処理部、１０  蓄積部、１１  ローカル復号部、１２  ＥＭＭメッセージ情報蓄積部、１３  録画ＥＭＭメッセージ判定部、１４  自動表示メッセージ生成部、１５  メッセージ表示制御部、１６  録画ＥＭＭメッセージ取得判定部、２０  通信インタフェース部、２１  音声出力部、２２  映像出力部、１００  デジタル放送録画再生装置、２００  ネットワーク、３００  サーバ。
【図１】
2011193103.tif 000003
【図２】
2011193103.tif 000004
【図３】
2011193103.tif 000005
【図４】
2011193103.tif 000006
【図５】
2011193103.tif 000007
【図６】
2011193103.tif 000008